【事件の表示】
　特願２０１５−１９９０２５号「遊技機」拒絶査定不服審判事件〔平成２８年２月４日出願公開、特開２０１６−１９９１４号〕について、次のとおり審決する。
【結　論】
　本件審判の請求は、成り立たない。
【理　由】
第１　手続の経緯
　本願は、平成２１年４月７日に出願した特願２００９−０９３１９１号の一部を平成２５年１１月１８日に新たな特許出願（特願２０１３−２３８２５８号）とし、さらにその一部を平成２７年１０月７日に新たな出願としたものであって、平成２８年４月７日付けで手続補正がなされ、同年１０月２０日付け拒絶理由通知に対して同年１１月２８日付けで意見書が提出されると共に手続補正がなされたところ、平成２９年４月１３日付けで拒絶査定がなされ、これに対して、同年６月２８日に拒絶査定不服審判の請求がされると同時に手続補正がなされたものである。
第２　平成２９年６月２８日にされた手続補正についての補正の却下の決定
［補正の却下の決定の結論］　
　平成２９年６月２８日にされた手続補正（以下、「本件補正」という。）を却下する。　
［理由］ 
１．本件補正について 
　本件補正は、特許請求の範囲の補正を含んでおり、本件補正により、平成２８年１１月２８日付けの手続補正書における特許請求の範囲の請求項１の記載 
「【請求項１】
　遊技者の操作によって遊技球を打ち込む打球発射装置と、
　該打球発射装置によって遊技球が打ち込まれる遊技領域、及び該遊技領域内に配置され打ち込まれた遊技球を受入可能とされた受入口を少なくとも有する遊技盤と、
　少なくとも該遊技盤の前記受入口への遊技球の受入れに応じて所定数の遊技球を払出す払出装置と、
　前記払出装置から払出された遊技球を流通させる連絡樋と、
　前記連絡樋を流通した遊技球を貯留可能とすると共に底面が所定位置へ向って低くなるように傾斜する貯留部と、
　前記貯留部の奥側の壁を形成する奥板部と、
　前記連絡樋を流通した遊技球を前記貯留部へ流入させる流入口と、
　前記貯留部に貯留されている遊技球を一列に整列させる傾斜部と、
　前記傾斜部に整列されている遊技球を前記打球発射装置へ供給する供給口と、を有する遊技機であって、
　前記貯留部の前記傾斜部を前記奥板部の前方に形成し、
　前記払出装置から払出された遊技球が流入することとなる前記連絡樋の入口部の幅に対して、該入口部を通過して後方から前方に流下する遊技球が前記貯留部に供給されることとなる前記流入口の幅の方が広く形成されており、
　一方、前記流入口の底辺の少なくとも一部とその直下の前記底面との間に、前記底面上に前記奥板部の前面に当接する状態に列をなして並ぶ複数個の遊技球の上側であって該遊技球同士の谷間に前記流入口からの遊技球が転がり状態で流下し得る高さ以上の段差を形成し、
　前記底面のうち前記流入口の手前側の箇所における底面の奥行幅は、遊技球が２列以上並びうる幅で形成される
　ことを特徴とする遊技機。」 
は、審判請求時に提出された手続補正書（平成２９年６月２８日付け）における 
「【請求項１】
　遊技者の操作によって遊技球を打ち込む打球発射装置と、
　該打球発射装置によって遊技球が打ち込まれる遊技領域、及び該遊技領域内に配置され打ち込まれた遊技球を受入可能とされた受入口を少なくとも有する遊技盤と、
　少なくとも該遊技盤の前記受入口への遊技球の受入れに応じて所定数の遊技球を払出す払出装置と、
　前記払出装置から払出された遊技球を流通させる連絡樋と、
　前記連絡樋を流通した遊技球を貯留可能とすると共に底面が所定位置へ向って低くなるように傾斜する貯留部と、
　前記貯留部の奥側の壁を形成する奥板部と、
　前記連絡樋を流通した遊技球を前記貯留部へ流入させる流入口と、
　前記貯留部に貯留されている遊技球を一列に整列させる傾斜部と、
　前記傾斜部に整列されている遊技球を前記打球発射装置へ供給する供給口と、を有する遊技機であって、
　前記貯留部の前記傾斜部を前記奥板部の前方に形成し、
　前記払出装置から払出された遊技球が流入することとなる前記連絡樋の入口部の幅に対して、該入口部を通過して後方から前方に流下する遊技球が前記貯留部に供給されることとなる前記流入口の幅の方が広く形成されており、
　一方、前記流入口の底辺の少なくとも一部とその直下の前記底面との間に、前記底面上に前記奥板部の前面に当接する状態に列をなして並ぶ複数個の遊技球の上側であって該遊技球同士の谷間に前記流入口からの遊技球が転がり状態で流下し得る高さ以上の段差を形成し、
　前記底面のうち前記流入口の手前側の箇所における底面の奥行幅は、遊技球
の外径の数倍以上の
　ことを特徴とする遊技機。」 
に補正された（下線は、補正箇所を明示するために当審にて付した。）。 
２．補正の適否
　上記補正は、補正前の請求項１に記載した発明を特定するために必要な事項である（貯留部の）「底面のうち前記流入口の手前側の箇所における底面の奥行幅」に関して、「遊技球が２列以上並びうる幅」を「遊技球の外径の数倍以上の幅」と変更するものであり、「遊技球が２列以上並」ぶ際には、１列目を成す遊技球の谷間に２列目を成す遊技球が入り込んで整列する場合が含まれ、必ずしも遊技球外径の２倍以上を要しないことから、前記変更により、前記「奥行幅」は遊技球外径の２倍以下の場合を含む数値範囲から、該外径の「数倍以上」、すなわち少なくとも２倍以上である数値範囲へと限定するものであるから、前記補正は、請求項１の発明特定事項を限定する補正を含むものと認められる。
　また、本件補正前の特許請求の範囲の請求項１に記載された発明と本件補正後の特許請求の範囲の請求項１に記載される発明の産業上の利用分野及び解決しようとする課題が同一である。 
　よって、本件補正は、特許法第１７条の２第５項第２号に掲げる特許請求の範囲の減縮を目的とするものに該当する。 
　そして、本件補正は、【０１７８】、図６２（Ｂ）等の記載に基づいており、新規事項を追加するものではない。 
３．本件補正発明の独立特許要件についての検討 
　そこで、本件補正後の特許請求の範囲の請求項１に係る発明は、その請求項１に記載された事項により特定されるものと認められるところ、その請求項１に係る発明（以下「本件補正発明」という。）が特許出願の際独立して特許を受けることができるものであるか（特許法第１７条の２第６項において準用する同法第１２６条第７項の規定に適合するか）について以下に検討する。 
（１）本件補正発明について 
　本件補正発明は、上記１．の本件補正の概要に示した次のとおりのものである（Ａ〜Ｏは、分説のため当審にて付与した。） 
「Ａ　遊技者の操作によって遊技球を打ち込む打球発射装置と、
Ｂ　該打球発射装置によって遊技球が打ち込まれる遊技領域、
Ｃ　及び該遊技領域内に配置され打ち込まれた遊技球を受入可能とされた受入口を少なくとも有する遊技盤と、
Ｄ　少なくとも該遊技盤の前記受入口への遊技球の受入れに応じて所定数の遊技球を払出す払出装置と、
Ｅ　前記払出装置から払出された遊技球を流通させる連絡樋と、
Ｆ　前記連絡樋を流通した遊技球を貯留可能とすると共に底面が所定位置へ向って低くなるように傾斜する貯留部と、
Ｇ　前記貯留部の奥側の壁を形成する奥板部と、
Ｈ　前記連絡樋を流通した遊技球を前記貯留部へ流入させる流入口と、
Ｉ　前記貯留部に貯留されている遊技球を一列に整列させる傾斜部と、
Ｊ　前記傾斜部に整列されている遊技球を前記打球発射装置へ供給する供給口と、を有する遊技機であって、
Ｋ　前記貯留部の前記傾斜部を前記奥板部の前方に形成し、
Ｌ　前記払出装置から払出された遊技球が流入することとなる前記連絡樋の入口部の幅に対して、該入口部を通過して後方から前方に流下する遊技球が前記貯留部に供給されることとなる前記流入口の幅の方が広く形成されており、
Ｍ　一方、前記流入口の底辺の少なくとも一部とその直下の前記底面との間に、前記底面上に前記奥板部の前面に当接する状態に列をなして並ぶ複数個の遊技球の上側であって該遊技球同士の谷間に前記流入口からの遊技球が転がり状態で流下し得る高さ以上の段差を形成し、
Ｎ　前記底面のうち前記流入口の手前側の箇所における底面の奥行幅は、遊技球の外径の数倍以上の幅で形成される
Ｏ　ことを特徴とする遊技機。」
（２）刊行物１に記載された発明 
ア　原査定の拒絶理由において提示された、本願の遡及日前に頒布された刊行物である特開平１１−４２３４７号公報（以下「刊行物１」という。）には、図面と共に次の事項が記載されている（下線は当審にて付した。以下同じ。）。 
「【０００１】
【発明の属する技術分野】
本発明は、
弾球遊技機に関する。
「【００１６】
【発明の実施の形態】次に、本発明の実施の形態について説明する。図１は、弾球遊技機１の正面側斜視図である。図１に示すように遊技機本体２に対して開閉可能に取着されたガラス枠３の下側には合成樹脂で成形された上皿４が設けられている。
この上皿４は、金銭と交換に借用した遊技球、あるいは入賞したときに賞球受入れ口５から送球されてきた遊技球を収容する
同遊技球を整列させて下方の発射装置に送球するものである
この発射装置は上皿４から送球されてきた遊技球をハンドル７の操作により弾球遊技機１の遊技盤面に向けて発射するものである。
【００１７】図３は上皿４に遊技球１０が収容された状態を示した平面図である。また、
図４は上皿４を一部破断して遊技球１０が上流から下流の方向に流れることを示した正面図である
上皿４は賞球受入れ口５付近から若干下流側まで最も幅が広く、下流側へゆくほど幅が徐々に狭くなって一列の遊技球１０を転がし得る幅になるという形状を有している。
一列に整列された遊技球１０は上流から傾斜に沿って下流の方向に転がり、球送り装置１１により１球ずつに分離され、そして、図２に示した発射レ−ル１２の基端部に落下する。この発射レ−ル１２の基端部に落下した遊技球１０は、図示していないモ−タにより駆動される打球槌１３を有する前記発射装置により、発射レ−ル１２から遊技盤面に向けて発射される
「【００２３】次に、第２の実施の形態について説明する。図８は、上皿４の球詰まりが起き易い矢印Ａ付近から下流側の
１列通路Ｂ
「【００３５】次に、第５の実施の形態について説明する。
上皿４の賞球受入れ口５は、前記前板８が閉じられた状態で球排出口１４（図２参照）と重なるように構成されているが、この状態では賞球受入れ口５と球排出口１４との間に僅かな段差ができるため、その段差の部分で遊技球１０が詰まる恐れがある。
イ　刊行物１の図面には以下の事項が記載されている。 
（ア）【００１６】、【００３５】を参酌すると、図２からは、遊技機本体２側に球排出口１４が設けられ、前板８側には上皿４が設けられ、該前板８の裏面右端付近には、前板８が閉じられた状態で遊技機本体２の球排出口１４付近へ向けて突出した要素の存在を見て取ることができる。
　また、【００１７】を参酌すると、図３には、上皿４を上方からみた平面図が示され、その左端部近傍には、前板８が閉じられて該上皿４が遊技機本体２に取り付けられた状態で遊技機本体２側へ向けて突出する要素として賞球受入口５が描かれている。
　前記図２、３の比較から、前記図２で前板８の裏面右端付近に存在する遊技機本体２側へ突出する要素は、図３における賞球受入口５に対応するといえる。
　以上から、図２、３より、賞球受入口５は、前板８の裏面から、遊技機本体２の球排出口１４付近へ向けて突出形成されることを看取できる。
（イ）図４について【００１６】には「図４は上皿４を一部破断して遊技球１０が上流から下流の方向に流れることを示した正面図である」と説明され、該図４では、上皿４に収容される遊技球が載置される上皿４の面のことを「底面」と呼ぶことにすると、
賞球受入口５が開口する正面視左側から右方向へ向かって低くなるように上皿４の底面が傾斜している
　また、上記【００２３】ほかで「１列通路Ｂ」と呼ばれ、図３、５、８、１３、１５で「Ｂ」と矢示され、図４でも「Ｂ」と矢示される上皿４の正面視右側部分でも、底面が右に向かって低くなるように傾斜していることを看取できる。
（ウ）図１、３、５、８、１３、１５から、上皿４の奥端には、その右端部付近に賞球受入口５が開口する板状の壁面が正面視左右方向に延在して形成されていることを看取できる。
（エ）図４から、賞球受入口５の正面視右端付近では、その前面の上皿４底面上に整列する遊技球の最上部よりも、前記賞球受入口５の底辺が高い位置に描かれていることを見て取ることができる。
（オ）図３、５、８、１３、１５からは、平面視（上面視）で上皿４の正面視左方で賞球受入口５の手前側の部分には、該上皿４の奥端から手前側にかけて５列程度の遊技球が収容されることを見て取ることができる。
（カ）図２から、上皿４は、
遊技機本体２に対して前方へ開く前板８に設けられており、一方、発射装置の打球槌１３は遊技機本体２側に設けられている
ウ　上記アの各記載事項及び上記イで認定した図面の記載事項から、以下の事項が導かれる。 
（あ）上記【００１６】には「この発射装置は上皿４から送球されてきた遊技球をハンドル７の操作により弾球遊技機１の遊技盤面に向けて発射するものである。」なる記載があることから、刊行物１には、「ハンドル７の操作により遊技球を発射する発射装置」、及び「発射装置の操作により遊技球が発射される遊技盤面」が記載されているといえる。
（い）上記【００１６】には「この上皿４は、金銭と交換に借用した遊技球、あるいは入賞したときに賞球受入れ口５から送球されてきた遊技球を収容する」との記載があることから、上記（あ）の認定事項とあわせ、刊行物１には、「遊技盤面に向けて遊技球を発射し、入賞可能」であること、及び「入賞したときに賞球受入口５から遊技球が送球される」こと、が記載されているといえる。
（う）上記【００３５】には「上皿４の賞球受入れ口５は、前記前板８が閉じられた状態で球排出口１４（図２参照）と重なるように構成されているが、この状態では賞球受入れ口５と球排出口１４との間に僅かな段差ができるため、その段差の部分で遊技球１０が詰まる恐れがある。」との記載がある。
　また、上記イ（ア）で認定したとおり、賞球受入口５は、前板８の裏面奥から、遊技機本体２の球排出口１４付近へ向けて突出形成される要素であることを看取できる。
　さらに、前項（い）から、賞球受入口５には「入賞したときに」「遊技球が送球される」ものである。
　以上から、刊行物１には、「入賞したときに、賞球受入口５にはその奥の遊技機本体２側に開口する球排出口１４から排出された遊技球が流入する」ことが記載されているといえる。
（え）上記【００１６】には「この上皿４は、金銭と交換に借用した遊技球、あるいは入賞したときに賞球受入れ口５から送球されてきた遊技球を収容する」と記載され、また、上記イ（イ）で認定したとおり図４からは「賞球受入口５が開口する正面視左側から右方向へ向かって低くなるように上皿４の底面が傾斜している」ことを看取できる。
　さらに、前項（う）から、「賞球受入口５には」「球排出口１４から排出された遊技球が流入する」ものである。
　よって、刊行物１には、「球排出口１４から排出され賞球受入れ口５から送球された遊技球が収容され、底面が正面視左側から右方向へ向かって低くなるように傾斜する上皿４」、及び「球排出口１４から排出された遊技球を上皿４に送球する賞球受入口５」が記載されているといえる。
（お）上記イ（ウ）で認定したとおり、図１、３、５、８、１３、１５から、上皿４の奥端には、その右端部付近に賞球受入口５が開口する板状の壁面が正面視左右方向に延在して形成されていることを看取できるから、刊行物１には、「上皿４の奥端に左右方向に延在して設けられた板状の壁面」が記載されているといえる。
　また、前項（え）で認定したとおり、上皿４の底面は「正面視左側から右方向へ向かって低くなるように・・・傾斜する」から、前記「上皿４の底面の傾斜部は、上皿４の奥端に左右方向に延在して設けられた板状の壁面に沿ってその前方に設けられている」といえる。
（か）上記【００１７】には「上皿４は賞球受入れ口５付近から若干下流側まで最も幅が広く、下流側へゆくほど幅が徐々に狭くなって一列の遊技球１０を転がし得る幅になるという形状を有している。」と記載されている。
　そして、上記（え）から、上皿４の「底面が正面視左側から右方向へ向かって低くなるように傾斜」しているのであるから、該【００１７】における上皿４の「下流側」とは、上皿４の正面視右方向のことであるといえる。
　また、このことと、上記イ（イ）で認定したとおり上皿４の正面視右側部分には「１列通路Ｂ」なる遊技球通路部分が図示されていること、及び「１列通路」なる名称の意味するところから、前記【００１７】に記載された上皿４が「下流側へゆくほど幅が徐々に狭くなって一列の遊技球１０を転がし得る幅になるという形状」の部分は、前記「１列通路Ｂ」に対応する部分であるといえる。
　よって、刊行物１には、「上皿４の正面視右側には、上皿４上の遊技球を一列に転がしうる幅で、正面視右方向へ向かって低くなるように傾斜した、１列流路Ｂ」が設けられることが記載されているといえる。
（き）上記【００１６】には「上皿４は・・・同遊技球を整列させて下方の発射装置に送球するものである」なる記載があり、上記【００１７】には「一列に整列された遊技球１０は上流から傾斜に沿って下流の方向に転がり、球送り装置１１により１球ずつに分離され、そして、図２に示した発射レ−ル１２の基端部に落下する。この発射レ−ル１２の基端部に落下した遊技球１０は、図示していないモ−タにより駆動される打球槌１３を有する前記発射装置により、発射レ−ル１２から遊技盤面に向けて発射される」なる記載がある。
　ここで、「一列に整列された遊技球１０は上流から傾斜に沿って下流の方向に転がり」が、前項（か）で認定した上皿４の「１列流路Ｂ」の部分に対応することが明らかである。
　このことと上記（い）の認定事項とから、刊行物１には、「１列流路Ｂに一列に整列された遊技球を、その下流部で球送り装置１１により発射装置に送球する」「弾球遊技機１」が記載されているといえる。
（く）上記イ（エ）で認定したとおり「図４から、賞球受入口５の正面視右端付近では、その前面の上皿４底面上に整列する遊技球の最上部よりも、前記賞球受入口５の底辺が高い位置に描かれていることを見て取ることができる」のであるから、当該付近では、該遊技球が収容される上皿４の底面と、賞球受入口５の底辺との段差高が遊技球の外径を上回っているといえる。
　よって、刊行物１には、「賞球受入口５の右端付近で、賞球受入口５の底辺と、上皿４の底面との間に、遊技球の外径以上の段差を形成」することが記載されているといえる。
（け）上記イ（オ）で認定したとおり、「図３、５、８、１３、１５からは、平面視（上面視）で上皿４の正面視左方で賞球受入口５の手前側の部分には、該上皿４の奥端から手前側にかけて５列程度の遊技球が収容されることを見て取ることができる」のであり、上記イ（イ）で定義したとおり「上皿４に収容される遊技球が載置される上皿４の面のことを「底面」と呼」ぶことにしたのであるから、該「５列程度の遊技球」が収容されている部分は上皿４の「底面」であるといえる。
　よって、刊行物１には、「平面視（上面視）で上皿４の正面視左方で賞球受入口５の手前側の部分は、該上皿４の奥端から手前側にかけて５列程度の遊技球が収容される幅を有する」ことが記載されているといえる。
エ　上記アの各記載事項、並びに上記イ、ウの認定事項から、刊行物１には次の発明（以下「刊行物１発明」という。）が記載されていると認められる（ａ〜ｏは、本件補正発明のＡ〜Ｏに対応させて付与した。また「（あ）」などは上記ウの対応箇所を示す。）。 
「ａ　ハンドル７の操作により遊技球を発射する発射装置と、（あ）、
ｂ　発射装置の操作により遊技球が発射される遊技盤面を有し、（あ）
ｃ　遊技盤面に向けて遊技球を発射し、入賞可能であり、（い）
ｄ　入賞したときに賞球受入口５から遊技球が送球され、（い）
ｅ　入賞したときに、賞球受入口５にはその奥の遊技機本体２側に開口する球排出口１４から排出された遊技球が流入するのであり、（う）
ｆ　球排出口１４から排出され賞球受入れ口５から送球された遊技球が収容され、底面が正面視左側から右方向へ向かって低くなるように傾斜する上皿４と、（え）
ｇ　上皿４の奥端に左右方向に延在して設けられた板状の壁面と、（お）
ｈ　球排出口１４から排出された遊技球を上皿４に送球する賞球受入口５と、（え）
ｉ　上皿４の正面視右側には、上皿４上の遊技球を一列に転がしうる幅で、正面視右方向へ向かって低くなるように傾斜した、１列流路Ｂと、を備え、（か）
ｊ　１列流路Ｂに一列に整列された遊技球を、その下流部で球送り装置１１を介して発射装置に送球する、弾球遊技機１であって、（き）
ｋ　上皿４の底面の傾斜部は、上皿４の奥端に左右方向に延在して設けられた板状の壁面に沿ってその前方に設けられており、（お）
ｍ　賞球受入口５の右端付近で、賞球受入口５の底辺と、上皿４の底面との間に、遊技球の外径以上の段差を形成し、（く）
ｎ　平面視（上面視）で上皿４の正面視左方で賞球受入口５の手前側の部分は、該上皿４の奥端から手前側にかけて５列程度の遊技球が収容される幅を有する、（け）
ｏ　弾球遊技機１。（き）」
（３）刊行物２の記載された技術事項
ア　原査定の拒絶理由において提示された、本願の遡及日前に頒布された刊行物である特開平９−１０８４２１号公報（以下「刊行物２」という。）には、図面と共に次の事項が記載されている（下線は当審にて付した。以下同じ。）。 
「【０００２】
【従来の技術】周知の様にパチンコ機は入賞によって放出される賞球を受け取るための受皿をパチンコ機の前面に上下二段に備えている。上段の上皿枠は賞球装置から放出される賞球を直接受け取り、これを一時貯留して通常は遊技を継続させるため打球発射装置に樋部を通して誘導し、連続的な発射を可能にし、また遊技を終了する場合は上記樋部の底を開いて下段の下皿枠に落とし抜き取るようにしてある。」
「【０００４】このため組立の利便と打球供給装置、打球発射装置等の保守点検乃至修理のため従来から上皿枠はパチンコ機の前枠に対して一側縁を蝶着して開放できるようにしてある。従来知られる上皿枠は前枠の横幅に揃えて横長長方形状に形成した金属板製の基板の前面にプラスチックで成形した皿枠を取付け、
基板に開設する賞球放出口を通して送り出される賞球をこの皿枠に受ける一方、連続して設ける樋部を通して打球送り口に球を運び背後の打球供給装置に１個づつ送り出すようにしてある
「【００１８】この様に前枠２の前面はガラス飾り枠５と上皿枠６、それに下皿枠７が装着されることによってその全面が被われ、その一方、背面には金属板で成形した浅い箱形をなす機構枠体２ａを一体に固定し、この枠体２ａを介して図示しない遊技板１４を着脱自由に組付け、更には
枠体の背面に賞球の貯留タンク１５や賞球装置、セーフ球寄せや賞球放出樋等を装着してセーフ球の制御、賞球放出の制御を行う機構部を構成している
「【００２０】上皿枠６は図４に示したように上皿基板６ａと皿枠６ｂ、カバー枠６ｃから構成されている。この三者は合成樹脂を素材に個別に成形してあり、このうち
上皿基板６ａは
左半上部には賞球の放出口２０
右半部の略中央部には打球を送り出す送り口２２が開設してある
【００２１】上記
上皿基板の背面には図示しない賞球放出樋に接続する舌状の連絡樋２３が放出口２０に連通して後向きに取付けられる
【００２２】皿枠６ｂは賞球を受ける皿部２６の両端に取付板部２７，２８を有し、この板部を前記基板６ａの前面に添わせネジ止めすることによって結合できるようにしてあり、
皿部２６の右方には徐々に幅を狭め球を整列させながら前記送り口２２に誘導する樋部２９を連続して形成し
「【００３７】尚、
上皿枠６は
送り口２２を塞ぐシャッター２４を開放して樋部２９からの打球の供給が開かれる。
イ　刊行物２の図面には以下の事項が記載されている。 
（ア）【００２０】〜【００２１】を参酌すると、図４からは、「上皿枠６」の奥側に立設される部材である「上皿基板６ａ」の正面視左上部には賞球の「放出口２０」が穿設され、該「放出口２０」の背面には「連絡樋２３」が取り付けられることを読み取ることができる。
（イ）【００２０】を参酌すると、図４からは、「上皿基板６ａ」に穿設された「放出口２０」の正面視右側に接する、「放出口２０」の横幅の約１．５倍程度の矩形領域を、前記「上皿基板６ａ」の表面が奥側へ凹んだ凹部とし、該凹部である矩形領域の奥側の面は、該矩形領域の左端である「放出口２０」の正面視右辺に接する部分から、該矩形領域右端にかけて、前記凹みの程度、すなわち前記表面が奥側へ後退する程度が徐々に小さくなるような、傾斜面とされていることを読み取ることができる。
　また、前記傾斜面により、前記「上皿基板６ａ」に穿設された孔部である「放出口２０」の奥端から、該「放出口２０」と前記凹部である矩形領域とを含む前記「上皿基板６ａ」表面側端の矩形状開口にかけて、徐々に開口幅が大きくなる横長のラッパ状開口形状を呈することも、読み取ることができる。
　該「放出口２０」のラッパ状開口形状については、図１、図２からも読み取ることができる。
ウ　上記ア、イから、刊行物２には、下記の技術事項が記載されているといえる。
（ア）【０００４】には「基板に開設する賞球放出口を通して送り出される賞球をこの皿枠に受ける一方、連続して設ける樋部を通して打球送り口に球を運び背後の打球供給装置に１個づつ送り出すようにしてある」と記載され、【００２０】には「上皿基板６ａは・・・右半部の略中央部には打球を送り出す送り口２２が開設してある」と記載され、【００２２】には「皿部２６の右方には徐々に幅を狭め球を整列させながら前記送り口２２に誘導する樋部２９を連続して形成し」と記載され、【００３７】には「上皿枠６は・・・送り口２２を塞ぐシャッター２４を開放して樋部２９からの打球の供給が開かれる」と記載されている。
　これらの記載から、刊行物２には、「上皿の右方は徐々に幅を狭め遊技球を整列させながら、上皿基板６ａに設けられた送り口２２に誘導する樋部２９となっており、該送り口２２から背後の打球供給装置に遊技球を１個づつ送り出す」こと、言い換えると、「上皿基板６ａには、上皿から遊技球を打球供給装置に送り出す送り口２２が設けられる」ことが記載されているといえる。
（イ）上記イ（イ）によれば、図４からは、「「上皿基板６ａ」に穿設された「放出口２０」の正面視右側に接する、「放出口２０」の横幅の約１．５倍程度の矩形領域を、前記「上皿基板６ａ」の表面が奥側へ凹んだ凹部とし、該凹部である矩形領域の奥側の面は、該矩形領域の左端である「放出口２０」の正面視右辺に接する部分から、該矩形領域右端にかけて、前記凹みの程度、すなわち前記表面が奥側へ後退する程度が徐々に小さくなるような、傾斜面とされ」、該「傾斜面により、前記「上皿基板６ａ」に穿設された孔部である「放出口２０」の奥端から、該「放出口２０」と前記凹部である矩形領域とを含む前記「上皿基板６ａ」表面側端の矩形状開口にかけて、徐々に開口幅が大きくなる横長のラッパ状開口形状を呈する」ことを看取できる。
　ここで、「上皿基板６ａ」に穿設された「放出口２０」は、厚みを有する該上皿基板６ａを貫通するものであるから、該「放出口２０」は、そこを通って供給される遊技球の流下方向に沿って、該「上皿基板６ａ」の裏面側に開口する入口、「上皿基板６ａ」の厚み分の奥行きを有し同表面側端の開口にかけて徐々に開口幅が大きくなるラッパ状の部分、及び同表面側に開口する出口、からなり、該「放出口２０」は全体として、入口の開口よりも、出口の開口の方が開口幅が大きい形状を呈するといえる。
　また、上記【００２１】には、「上皿基板の背面には図示しない賞球放出樋に接続する舌状の連絡樋２３が放出口２０に連通して後向きに取付けられる」との記載があることから、前記「放出口２０」の、上皿基板の背面側、即ち裏面側の前記「入口」には、「連絡樋２３」が連通して取り付けられているといえる。
　さらに、上記【００１８】には「枠体の背面に賞球の貯留タンク１５や賞球装置、セーフ球寄せや賞球放出樋等を装着してセーフ球の制御、賞球放出の制御を行う機構部を構成している」と記載されていることから、前記【００２１】の「賞球放出樋に接続する舌状の連絡樋２３」なる記載と合わせ読めば、前記「連絡樋２３」には、賞球放出の制御を行う機構を成す賞球装置から同賞球放出樋を経て放出された賞球が流入するといえる。
　よって、刊行物２には、「賞球放出の制御を行う機構を成す賞球装置から同賞球放出樋を経て放出された賞球が流入する連絡樋２３が連通する放出口２０の裏面の入口の開口幅よりも、放出口２０の表面側端の出口の開口幅の方を大きくすること」が記載されているといえる。
（４）対比 
ア　刊行物１発明の構成ａにおいて、「ハンドル７の操作」は遊技者が行う操作であることが明らかである。
　また、前記構成ａにおいて、「遊技球を発射する」こと、「発射装置」は、それぞれ、本件補正発明の構成Ａの「遊技球を打ち込む」こと、「打球発射装置」に相当する。
　よって、前記構成ａの「ハンドル７の操作により遊技球を発射する発射装置」は、前記構成Ａの「遊技者の操作によって遊技球を打ち込む打球発射装置」に相当する。
イ　刊行物１発明の構成ｂの「遊技球が発射される遊技盤面」は、本件補正発明の構成Ｂの「遊技球が打ち込まれる遊技領域」に相当する。
　よって、前記構成ｂの「発射装置の操作により遊技球が発射される遊技盤面」は、前記構成Ｂの「該打球発射装置によって遊技球が打ち込まれる遊技領域」に相当する。
ウ　刊行物１発明及び本件補正発明が属するパチンコ遊技機などの弾球遊技機の技術分野において、遊技球を遊技盤面に発射した結果としての「入賞」には、該発射した遊技球が遊技盤面上の各種入賞口などの受入口に入球することが少なくとも含まれるということが技術常識である。
　そうすると、刊行物１発明の構成ｃにおける「遊技盤面に向けて遊技球を発射し、入賞可能」なる構成には、少なくとも「遊技盤面内に受入口を備える」構成が含まれ、同構成ｄにおける「入賞したとき」には、前記受入口を備える構成を前提とした、「遊技盤面に発射された遊技球が前記受入口に受け入れられたとき」が少なくとも含まれるといえる。
　また、上記構成ｂ、ｃの「遊技盤面」が、弾球遊技機１が当然に備える「遊技盤」の一領域であることは明らかである。
　よって、前記構成ｃの、（「遊技盤」の）「遊技盤面に向けて遊技球を発射し、入賞可能」である構成は、「遊技盤面に向けて発射された遊技球を受け入れ可能な受入口を遊技盤面内に備える遊技盤」を有する構成を含むといえる。
　ここで、「受入口」には「遊技盤面」に向けて発射された遊技球が受け入れられるのであるから、該「受入口」は「遊技盤面」内に配置されているといえる。
　したがって、上記イの認定事項も参照すると、前記構成ｃの「遊技盤面に向けて遊技球を発射し、入賞可能」であることは、前記構成Ｃの「該遊技領域内に配置され打ち込まれた遊技球を受入可能とされた受入口を少なくとも有する遊技盤」に相当する構成を含むといえる。
エ　刊行物１発明の構成ｄにおいて、「入賞したときに賞球受入口５から遊技球が送球され」るためには、該「入賞」したことに基づいて該「送球」を行うための何らかの賞球送球のための機構が備わることが自明であり、該「賞球送球のための機構」が本件補正発明の構成Ｄの「払出装置」に相当する。
　また、パチンコ遊技機等の弾球遊技機において、「入賞」に伴い払い出される賞球の数が入賞種別等に基づいて制御系が定めた数であることは自明であり、該「入賞種別等に基づいて制御系が定めた数」は前記構成Ｄの「所定数」に相当する。
　さらに、前記構成ｄの「入賞したとき」には本件補正発明の構成Ｄの「遊技盤の前記受入口への遊技球の受入れ」があったとき、が含まれることは、前項ウで説示したとおりである。
　そうすると、前記構成ｄの「入賞したときに賞球受入口５から遊技球が送球され」るための構成は、前記構成Ｄの「少なくとも該遊技盤の前記受入口への遊技球の受入れに応じて所定数の遊技球を払出す払出装置」に相当するといえる。
オ　刊行物１発明の構成ｅによれば、「入賞したときに、賞球受入口５には・・・球排出口１４から排出された遊技球が流入する」のであり、上記エで認定したとおり刊行物１発明が「賞球送球のための機構」を備えることも自明であるから、該「賞球送球のための機構」から「球排出口１４」を経て「賞球受入口５」に遊技球を届ける何らかの「遊技球流路」を備えることが自明である。
　そして、該「遊技球流路」は、本件補正発明の構成Ｅの「連絡樋」に相当する。
　よって、前記構成ｅの「入賞したときに、賞球受入口５にはその奥の遊技機本体２側に開口する球排出口１４から排出された遊技球が流入する」ことは、前記構成Ｅの「前記払出装置から払出された遊技球を流通させる連絡樋」を備えることに相当するといえる。
カ　刊行物１発明の構成ｆの「球排出口１４から排出され賞球受入れ口５から送球された遊技球」、「底面が正面視左側から右方向へ向かって低くなるように傾斜する」、「上皿４」は、それぞれ、本件補正発明の構成Ｆの「前記連絡樋を流通した遊技球」、「底面が所定位置へ向って低くなるように傾斜する」、「貯留部」に相当する。
　よって、前記構成ｆの「球排出口１４から排出され賞球受入れ口５から送球された遊技球が収容され、底面が正面視左側から右方向へ向かって低くなるように傾斜する上皿４」は、前記構成Ｆの「前記連絡樋を流通した遊技球を貯留可能とすると共に底面が所定位置へ向って低くなるように傾斜する貯留部」に相当する。
キ　刊行物１発明の構成ｇの「上皿４の奥端に左右方向に延在して設けられた板状の壁面」が、本件補正発明の構成Ｇの「前記貯留部の奥側の壁を形成する奥板部」に相当することは明らかである。
ク　刊行物１発明の構成ｈの「球排出口１４から排出された遊技球」は、上記オで説示したとおり、本件補正発明の「連絡樋」に相当する自明の構成要素として認定した「遊技球流路」を経た遊技球である。また、前記構成ｈの「賞球受入口５」は前記構成Ｈの「流入口」に相当する。
　よって、前記構成ｈの「球排出口１４から排出された遊技球を上皿４に送球する賞球受入口５」は、前記構成Ｈの「前記連絡樋を流通した遊技球を前記貯留部へ流入させる流入口」に相当する。
ケ　刊行物１発明の構成ｉの「上皿４の正面視右側には、上皿４上の遊技球を一列に転がしうる幅で、正面視右方向へ向かって低くなるように傾斜した、１列流路Ｂ」が、本件補正発明の構成Ｉの「前記貯留部に貯留されている遊技球を一列に整列させる傾斜部」に相当することは明らかであるといえる。
コ　刊行物１発明の構成ｊの「１列流路Ｂに一列に整列された遊技球を、その下流部で球送り装置１１を介して発射装置に送球する」ことは、本件補正発明の構成Ｊの「前記傾斜部に整列されている遊技球を前記打球発射装置へ供給する」ことと共通する。
　また、前記構成ｊの「弾球遊技機１」は、前記構成Ｊの「遊技機」に相当する。
サ　「奥板部」及び「傾斜部」に関する上記キ、ケの説示事項に基づけば、刊行物１発明の構成ｋの「上皿４の底面の傾斜部は、上皿４の奥端に左右方向に延在して設けられた板状の壁面に沿ってその前方に設けられて」いることは、本件補正発明の構成Ｋの「前記貯留部の前記傾斜部を前記奥板部の前方に形成」することに相当するといえる。
シ　本件補正発明の構成Ｍの特定事項において、「前記流入口の底辺の少なくとも一部とその直下の前記底面との間に」「形成」される「段差」が、「前記底面上に前記奥板部の前面に当接する状態に列をなして並ぶ複数個の遊技球の上側であって該遊技球同士の谷間に前記流入口からの遊技球が転がり状態で流下し得る」ためには、該「段差」が遊技球の外径以上であれば、遊技球の上端が前記「底辺」よりも下方に位置することとなるから、充分であるといえる。
　そうすると、刊行物１発明の構成ｍの「遊技球の外径以上の段差」は、前記構成Ｍの「前記底面上に前記奥板部の前面に当接する状態に列をなして並ぶ複数個の遊技球の上側であって該遊技球同士の谷間に前記流入口からの遊技球が転がり状態で流下し得る高さ以上の段差」なる条件を満足する段差高であるといえる。
　よって、前記構成ｍの「賞球受入口５の右端付近で、賞球受入口５の底辺と、上皿４の底面との間に、遊技球の外径以上の段差を形成」することは、前記構成Ｍの「一方、前記流入口の底辺の少なくとも一部とその直下の前記底面との間に、前記底面上に前記奥板部の前面に当接する状態に列をなして並ぶ複数個の遊技球の上側であって該遊技球同士の谷間に前記流入口からの遊技球が転がり状態で流下し得る高さ以上の段差を形成」すること、に相当するといえる。
ス　刊行物１発明の構成ｎの「５列程度の遊技球が収容される幅」は、本件補正発明の構成Ｎの「遊技球の外径の数倍以上の幅」なる条件を満足する。
　よって、前記構成ｎの「平面視（上面視）で上皿４の正面視左方で賞球受入口５の手前側の部分は、該上皿４の奥端から手前側にかけて５列程度の遊技球が収容される幅を有する」ことは、前記構成Ｎの「前記底面のうち前記流入口の手前側の箇所における底面の奥行幅は、遊技球の外径の数倍以上の幅で形成される」ことに相当する。
セ　上記ア〜スによれば、本件補正発明と刊行物１発明とは、下記（ア）の点で一致し、下記（イ）〜（オ）の点で相違する。また、仮の相違点として下記（カ）の点を挙げ、合わせて検討する。
（ア）一致点
「Ａ　遊技者の操作によって遊技球を打ち込む打球発射装置と、
Ｂ　該打球発射装置によって遊技球が打ち込まれる遊技領域、
Ｃ　及び該遊技領域内に配置され打ち込まれた遊技球を受入可能とされた受入口を少なくとも有する遊技盤と、
Ｄ　少なくとも該遊技盤の前記受入口への遊技球の受入れに応じて所定数の遊技球を払出す払出装置と、
Ｅ　前記払出装置から払出された遊技球を流通させる連絡樋と、
Ｆ　前記連絡樋を流通した遊技球を貯留可能とすると共に底面が所定位置へ向って低くなるように傾斜する貯留部と、
Ｇ　前記貯留部の奥側の壁を形成する奥板部と、
Ｈ　前記連絡樋を流通した遊技球を前記貯留部へ流入させる流入口と、
Ｉ　前記貯留部に貯留されている遊技球を一列に整列させる傾斜部と、
Ｊ’前記傾斜部に整列されている遊技球を前記打球発射装置へ供給する、遊技機であって、
Ｋ　前記貯留部の前記傾斜部を前記奥板部の前方に形成し、
Ｍ　一方、前記流入口の底辺の少なくとも一部とその直下の前記底面との間に、前記底面上に前記奥板部の前面に当接する状態に列をなして並ぶ複数個の遊技球の上側であって該遊技球同士の谷間に前記流入口からの遊技球が転がり状態で流下し得る高さ以上の段差を形成し、
Ｎ　前記底面のうち前記流入口の手前側の箇所における底面の奥行幅は、遊技球の外径の数倍以上の幅で形成される
Ｏ　ことを特徴とする遊技機。」
（イ）相違点１（構成Ｊ）
　本件補正発明は、構成Ｊとして「供給口」を備えるのに対し、刊行物１発明では貯留部（上皿４）から打球発射装置（発射装置）への遊技球の供給が「供給口」を介して行われるか不明である点。
（ウ）相違点２（構成Ｌ）
　本件補正発明は構成Ｌとして「前記払出装置から払出された遊技球が流入することとなる前記連絡樋の入口部の幅に対して、該入口部を通過して後方から前方に流下する遊技球が前記貯留部に供給されることとなる前記流入口の幅の方が広く形成され」る構成を備えるのに対し、刊行物１発明はそのような構成を備えない点。
（５）判断 
ア　相違点１について
　上記（２）イ（カ）で認定したとおり、刊行物１発明の「上皿４」は、「遊技機本体２に対して前方へ開く前板８に設けられており、一方」、上皿４から１列流路Ｂを経て遊技球が導かれる「発射装置の打球槌１３は遊技機本体２側に設けられて」いることから、上皿４上の遊技球がその背後にある別体である遊技機本体２の発射装置に至るには、前板４側のなんらかの開口部分を通るほかなく、該開口部分は相違点１に係る「供給口」に相当するといえる。
　よって、刊行物１発明が相違点１に係る「供給口」に相当する要素を備えることは自明であるといえるが、仮にそうでないとしても、例えば上記刊行物２には「上皿基板６ａには、上皿から遊技球を打球供給装置に送り出す送り口２２が設けられる」ことが記載され、該記載における「送り口２２」が相違点１に係る「供給口」に相当するように、パチンコ遊技機等の弾球遊技機の分野において、上皿から発射装置への遊技球の供給が、相違点１に係る「供給口」に相当する開口要素を通じて行われることは、周知技術（以下「周知技術１」という。）であるといえるから、刊行物１発明において相違点１に係る構成を採用することは、該周知技術１に基づいて当業者が容易に想到し得たことである。
イ　相違点２について
　上記（３）ウ（イ）で認定したとおり、刊行物２には「賞球放出の制御を行う機構を成す賞球装置から同賞球放出樋を経て放出された賞球が流入する連絡樋２３が連通する放出口２０の裏面の入口の開口幅よりも、放出口２０の表面側端の出口の開口幅の方を大きくすること」が記載されている。
　ここで、「賞球装置」、「連絡樋２３」、「入口」、「出口」は、それぞれ、本件補正発明の構成Ｌの「払出装置」、「連絡樋」、「連絡樋の入口部」、「流入口」に相当する。
　また、上皿への賞球放出口が前記と同様の形状を呈することについては、刊行物２のほかにも、例えば本件出願遡及日前に公知である特開平９−１７３５７０号公報（図１）、同特開平９−８４９３５号公報の図１、同特開平９−４７５５５号公報の図１及び図２、同特開２００８−２２８９６８号公報の図１からも看取でき、パチンコ遊技機において周知の放出口形状であるといえる（以下「周知技術２」という。）。
　また、前記周知の放出口形状を採用した場合、その形状からみて、放出された賞球等が幅広となった出口全幅にわたって上皿に流出し得ることになると推察されるが、刊行物１発明においてそのような構成を採用することを阻害する要因は見出せず、また、該採用の結果同様の作用効果を生じうることも明らかである。
　以上のとおりであるから、刊行物１発明に刊行物２等に記載された前記周知技術２を適用して相違点２に係る構成とすることは、当業者が容易になし得たことである。
ウ　また、本件補正発明により奏される効果は、当業者が、刊行物１発明及び周知技術１、２から予測し得た範囲内のものであって、格別のものではない。 
エ　小括 
　したがって、上記ア、イにおいて検討したように、本件補正発明は、刊行物１発明及び周知の技術事項に基づいて当業者が容易に発明をすることができたものである。 
オ　仮の相違点について
（ア）仮の相違点（構成Ｄ、Ｅ、Ｆ、Ｈ）
　上記刊行物１発明の認定では、刊行物１発明は本件補正発明の「払出装置」及び「連絡樋」なる各構成要素に相当する構成を備えることが自明であると認定したが、仮にそうとは言えないとすると、刊行物１発明が該各構成要素を備えない点でも両発明は相違することとなる。
（イ）仮の相違点についての検討
　上記イで説示したとおり、本件補正発明の「払出装置」、「連絡樋」に相当する構成は刊行物２に記載されているほか、例えば本件出願の遡及日前に公知となった特開２０００−１４０３９０号公報の【００４３】には、
「【００４３】このパチンコ機本体２では、球導出樋５６で遊技球を２条に整列させ、一方の条の遊技球を賞球用とし、他方の条の遊技球を貸し球用としている。このため、球導出樋５６で整列させた遊技球を、各条毎に球排出ユニット７１に供給している。
球排出ユニット７１は、賞球の排出を行う賞球排出機構７２
を備えており、
この球排出ユニット７１の賞球出口に連通させて賞球用流下路７４を下方に延設し、
賞球用流下路７４の流下下端部分には球通路形成部材３７の後側部分の賞球用溝部４１が配設され
ている。
なる記載があり、ここで「球排出ユニット７１は、賞球の排出を行う賞球排出機構７２・・・を備えており、・・・この球排出ユニット７１の賞球出口に連通させて賞球用流下路７４を下方に延設し、・・・賞球用流下路７４の流下下端部分には球通路形成部材３７の後側部分の賞球用溝部４１が配設され・・・ている。」と記載され、「払出装置」に相当する要素として「賞球排出機構７２」が、「連絡樋」に相当する要素として「賞球用流下路７４」及び「賞球用溝部４１」が、それぞれ開示されている。
　以上のように、本件補正発明の「払出装置」、「連絡樋」に相当する構成は、少なくともＣＲ機など賞球が自動的に排出されるパチンコ遊技機であれば通常備わる周知の構成要素であるといえる（以下「周知技術３」という。）。
　よって、上記仮の相違点の存在を認めるとしても、刊行物１に対し該仮の相違点の構成を採用することは、前記周知技術３に基づいて当業者が容易になし得たことである。
カ　審判請求人の主張について
（ア）審判請求書４．（２）において審判請求人は、相違点１〜２として
 「・相違点１ 
 　本願発明が、「前記払出装置から払出された遊技球が流入することとなる前記連絡樋の入口部の幅に対して、該入口部を通過して後方から前方に流下する遊技球が前記貯留部に供給されることとなる前記流入口の幅の方が広く形成されて」いるのに対し、引用発明はかかる点が不明である点。 
  
 ・相違点２ 
 　本願発明が、「前記流入口の底辺の少なくとも一部とその直下の前記底面との間に、前記底面上に前記奥板部の前面に当接する状態に列をなして並ぶ複数個の遊技球の上側であって該遊技球同士の谷間に前記流入口からの遊技球が転がり状態で流下し得る高さ以上の段差を形成し」ているのに対し、引用発明では、流入口と底面との段差の関係が不明である点。」 
を挙げ、このうち相違点１（以下「請求人相違点１」という。）については「引用文献１には、流入口に連続する連絡樋の構成についてなんら記載がなくどのような構成になっているかはまったく不明です。また、連絡樋の構成については、その周囲の部材の関係などによって空きスペースなどが変更されることを考慮すると、周囲の部材の関係等を考慮して、総合的に決定するべきものなのですから、引用文献２に類似した構成が記載されているからといって、単純に引用文献１に記載された発明に適用できるといったものではない。」と主張し、相違点２（以下「請求人相違点２」という。）については、「第４図の記載からは、賞球受入れ口５の底面が水平であるのか、傾斜しているのかは明確ではありませんし、いずれの場合であっても、流入口の下流側付近の底辺とその直下の底面との間に、底面上に奥板部の前面に当接する状態に列をなして並ぶ複数個の遊技球の上側であって遊技球同士の谷間に流入口からの遊技球が転がり状態で流下し得る高さ以上の段差を形成しているかどうかを把握することは困難である」旨、主張している。
（イ）請求人相違点１について
　ある発明装置に対し別の公知技術を適用する際に、例えば接合部の形状や取付け空間など、適用部分の周辺構造を調整する程度のことは、当業者が通常なし得る創造性の発揮の範囲内のことである。
　本件の場合についてみると、上記３．（２）イ（ア）で「図２、３より、賞球受入口５は、前板８の裏面から、遊技機本体２の球排出口１４付近へ向けて突出形成されることを看取できる」と認定したとおり、刊行物１発明の前板８における賞球受入れ口５部分は奥行き方向に厚みを持って形成されており、一方で刊行物２における放出口２０は、上記３．（３）イ（イ）で「「上皿基板６ａ」に穿設された孔部である「放出口２０」の奥端から、該「放出口２０」と前記凹部である矩形領域とを含む前記「上皿基板６ａ」表面側端の矩形状開口にかけて、徐々に開口幅が大きくなる横長のラッパ状開口形状を呈する」と認定したとおり、共に本件補正発明の「流入口」相当要素が奥行き方向に厚みのある構造を有する点で共通し、刊行物２ではこの厚み部分を「ラッパ状」に形成することで「放出口２０の裏面の入口の開口幅よりも、放出口２０の表面側端の出口の開口幅の方を大きくすること」（上記３．（３）ウ（イ）参照）を実現しているのであるから、この点において刊行物１発明に対し刊行物２記載の技術事項を適用することに、周辺構造上の格別な阻害要因は見出せない。
　そして、上記審判請求人の主張は、前記適用にあたっての具体的な阻害要因について言及するものでもない。
　よって、前記請求人相違点１について刊行物２に記載された技術事項を適用することについて、構造上の不整合をはじめとする適用にあたっての格別な阻害要因は認められず、当業者が容易に想到し得たことである点は上記３．（５）イで説示したとおりであり、上記審判請求人の主張はあたらない。
（ウ）請求人相違点２について
　請求人相違点２について、刊行物１の図４及び【００１６】の記載から、上皿４底面が正面視左方から右方へ下がるように傾斜しているといえることは、本件補正発明の構成Ｆに関し刊行物１発明との一致点として上記３．（２）エ（え）にて説示したとおりであり、審判請求人の当該主張は採用できない。
キ　小括 
　したがって、上記ア〜オにおいて検討したように、本件補正発明は、刊行物１発明及び周知技術１〜２または１〜３に基づいて当業者が容易に発明をすることができたものであるから、特許法第２９条第２項の規定により、特許出願の際独立して特許を受けることができない。 
４．むすび 
　上記３．において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。 
第３　本願発明について 
１．本願発明 
　本件補正は、上記のとおり却下されたので、本願の請求項１に係る発明（以下、「本願発明」という。）は、平成２８年１１月２８日付けの手続補正書により補正された、上記第２の１．で示した特許請求の範囲の請求項１に記載されたとおりのものである。 
２．原査定における拒理の理由　
　原査定の拒絶の理由である理由２は、この出願の請求項１に係る発明は、その出願前に日本国内において頒布された下記の引用文献１〜２に記載された発明に基いて、その出願前にその発明の属する技術の分野における通常の知識を有する者が容易に発明をすることができたものであるから、特許法第２９条第２項の規定により特許を受けることができない、というものである。 
　引用文献１．特開平１１−０４２３４７号公報（上記刊行物１に同じ）
　引用文献２．特開平０９−１０８４２１号公報（上記刊行物２に同じ）
３．刊行物 
　原査定の拒絶の理由に引用された刊行物１、２の記載事項は、上記第２の３．（２）〜（３）に記載したとおりである。 
４．対比・判断 
　本願発明は、本件補正発明の発明特定事項のうち、上記構成Ｎにおける（貯留部の）「底面のうち前記流入口の手前側の箇所における底面の奥行幅」に関して、「遊技球の外径の数倍以上の幅」を、「遊技球が２列以上並びうる幅」と程度範囲を拡張したものにあたる。
　しかし、刊行物１発明は、上記第２の３．（２）エで認定したとおり、「平面視（上面視）で上皿４の正面視左方で賞球受入口５の手前側の部分は、該上皿４の奥端から手前側にかけて５列程度の遊技球が収容される幅を有する」なる構成ｎを備えており、ここでの「５列程度の遊技球が収容される幅」は、上記第２の３．（４）スで認定したとおり、前記構成Ｎの「遊技球の外径の数倍以上の幅」なる特定事項を満たすものであるから、これを拡張したものにあたる「遊技球が２列以上並びうる幅」なる特定事項を満たすことは明らかであるといえる。
　よって、本願発明と刊行物１発明との間に、上記第２の３．（４）で認定した相違点１〜２及び仮の相違点以外の新たな相違点は存在しない。
　そして、該各相違点及び仮の相違点についての容易想到性は上記第２の（５）において判断したとおりである。
　したがって、本願発明は刊行物１発明及び周知技術１〜２または１〜３に基づいて当業者が容易に発明をすることができたものであるから、特許法第２９条第２項の規定により特許を受けることができないものである。 
５．むすび
　以上のとおり、本願発明は、本願遡及日前に頒布された刊行物に記載された発明に基づいて当業者が容易に発明をすることができたものであるから、特許法第２９条第２項の規定により特許を受けることができない。 
　したがって、本願は拒絶すべきものである。 
　よって、結論のとおり審決する。